(57)【特許請求の範囲】
【請求項１】
略矩形状の天板と、該天板を下から支持する脚部とを有する作業台と、
前記作業台に、前記天板の長さ方向に沿って略水平方向にスライド移動可能な状態に取り付けられたかご置き棚と、を備え、
前記かご置き棚に対して力が加えられていないとき、前記かご置き棚の少なくとも一部が前記天板の長さ方向の一端縁より外方側に突出した使用可能状態になるように構成され、
前記使用可能状態のかご置き棚は、該棚の先端部に対して該棚の基端部に向けて押し込み力が加えられたときにスライド移動して前記作業台の天板の下に収容される収容状態になる一方、
前記収容状態のかご置き棚は、前記押し込み力が排除されると、該棚の自重によって、作業台の外方側に向けてスライド移動し得るものとなされており、この自重によるスライド移動により、前記かご置き棚の少なくとも一部が前記天板の長さ方向の一端縁より外方側に突出した使用可能状態になることを特徴とするレジカウンター。
【請求項２】
前記かご置き棚は、棚の基端部から棚の先端部に向けて上から下に傾斜する傾斜状態で前記作業台にスライド移動可能に取り付けられている請求項１に記載のレジカウンター。
【請求項３】
前記かご置き棚の先端部に上方に向けて突出する当接用突出部が設けられ、
前記かご置き棚に前記押し込み力が加えられて該棚がスライド移動しているときに、前記当接用突出部が前記作業台の側面に当接することで前記スライド移動が停止して、前記かご置き棚が前記収容状態になることを特徴とする請求項１または２に記載のレジカウンター。
【請求項４】
前記天板の幅方向における客が立つ側である背面側の縁部から下方に向けて背面板が延設され、
前記天板の上面における前記かご置き棚が突出する側であって且つ背面側のコーナー部又はその近傍領域に、スキャナー取付用開口部が設けられている請求項１〜３のいずれか１項に記載のレジカウンター。
【発明の詳細な説明】
【技術分野】
【０００１】
本発明は、スーパーマーケット等において購入商品の料金精算の際に使用されるレジカウンターに関する。
【背景技術】
【０００２】
スーパーマーケット等では、商品の袋等に付されたバーコードを読み取る光学式スキャナーおよび商品入り買物かごを載置するための作業台を備えたレジカウンターが広く使用されている（特許文献１参照）。
【０００３】
客は、商品入り買物かごを載せたカートをレジカウンターの横まで押して行き、カートから買物かごを取り出してこの買物かごをレジカウンターの作業台に載せる。そして、店員が、買物かごから商品を１つずつ取り出して、光学式スキャナーに各商品のバーコードを読み取らせるという作業を行うことにより、購入商品の料金を精算する。
【先行技術文献】
【特許文献】
【０００４】
【特許文献１】特開２００７−１４８８５７号公報
【発明の概要】
【発明が解決しようとする課題】
【０００５】
しかしながら、カートから買物かごを取り出して買物かごをレジカウンターの作業台に載せるという作業を要するので、その分時間が余計にかかるという問題があった。
【０００６】
また、買物かごの中に重い商品が多数入っていると、高齢者や子供が１人で作業台に載せる作業を行うのは大変な場合がある。
【０００７】
本発明は、かかる技術的背景に鑑みてなされたものであって、商品入り買物かごをカートに載せた状態のままで店員のレジ作業に供することができて、レジでの作業時間を短縮できると共に、重い買物かごをカートから取り出す負担の大きい作業から解放され、またカートを使用せずに買物かごだけをレジカウンターに持ち込んだ場合でも店員がレジ作業をスムーズに行うことのできるレジカウンターを提供することを目的とする。
【課題を解決するための手段】
【０００８】
前記目的を達成するために、本発明は以下の手段を提供する。
【０００９】
［１］略矩形状の天板と、該天板を下から支持する脚部とを有する作業台と、
前記作業台に、前記天板の長さ方向に沿って略水平方向にスライド移動可能な状態に取り付けられたかご置き棚と、を備え、
前記かご置き棚に対して力が加えられていないとき、前記かご置き棚の少なくとも一部が前記天板の長さ方向の一端縁より外方側に突出した使用可能状態になるように構成され、
前記使用可能状態のかご置き棚は、該棚の先端部に対して該棚の基端部に向けて押し込み力が加えられたときにスライド移動して前記作業台の天板の下に収容される収容状態になる一方、
前記収容状態のかご置き棚は、前記押し込み力が排除されると、該棚の自重によって、作業台の外方側に向けてスライド移動し得るものとなされており、この自重によるスライド移動により、前記かご置き棚の少なくとも一部が前記天板の長さ方向の一端縁より外方側に突出した使用可能状態になることを特徴とするレジカウンター。
【００１０】
［２］前記かご置き棚は、棚の基端部から棚の先端部に向けて上から下に傾斜する傾斜状態で前記作業台にスライド移動可能に取り付けられている前項１に記載のレジカウンター。
【００１１】
［３］前記かご置き棚の先端部に上方に向けて突出する当接用突出部が設けられ、
前記かご置き棚に前記押し込み力が加えられて該棚がスライド移動しているときに、前記当接用突出部が前記作業台の側面に当接することで前記スライド移動が停止して、前記かご置き棚が前記収容状態になることを特徴とする前項１または２に記載のレジカウンター。
【００１２】
［４］前記天板の上面における前記かご置き棚が突出する側であって且つ背面側のコーナー部又はその近傍領域に、スキャナー取付用開口部が設けられている前項１〜３のいずれか１項に記載のレジカウンター。
【発明の効果】
【００１３】
［１］の発明では、前記使用可能状態のかご置き棚は、該棚の先端部に対して該棚の基端部に向けて押し込み力が加えられたときにスライド移動して作業台の天板の下に収容される収容状態になるように構成されているから、客が商品入り買物かごをカートに載せた状態のままでかご置き棚の先端部に買物かご又はカートを押し当てて、そのままかご置き棚を作業台の方に押し込んでいくと、かご置き棚がスライド移動して作業台の天板の下に収容される。従って、店員は、商品入り買物かごをカートに載せた状態のままで買物かごから商品を取り出してレジ作業を行うことができるので、レジでの作業時間を短縮できると共に、重い買物かごをカートから取り出す負担の大きい作業から解放される。
【００１４】
一方、収容状態のかご置き棚は、前記押し当て状態のカートを移動させることで前記押し込み力が排除されると、該棚の自重によって、作業台の外方側に向けてスライド移動し得るものとなされており、この自重によるスライド移動により、かご置き棚の少なくとも一部が天板の長さ方向の一端縁より外方側に突出した使用可能状態になるので、客がカートを使用せずに買物かごだけをレジカウンターに持ち込んだ場合には、客はこの外方側に突出して使用可能状態になっているかご置き棚の上にそのまま買物かごを載置すれば良く、このような場合であっても店員がレジ作業をスムーズに行うことができる。
【００１５】
更に、かご置き棚は、前記押し込み力が排除されると、自重によりスライド移動できて、かご置き棚を使用可能状態に移行させるのに何らの操作も要しないので、レジでの作業時間をより短縮できると共に、レジでの作業工数をより低減できる。
【００１６】
［２］の発明では、かご置き棚は、棚の基端部から棚の先端部に向けて上から下に傾斜する傾斜状態で作業台にスライド移動可能に取り付けられているから、収容状態のかご置き棚は、押し込み力が排除されると、該棚の自重によって、作業台の外方側に向けてスライド移動する。このような簡便な構成でもって、自重によるスライド移動を実現できるので、生産コストを低減できる。
【００１７】
［３］の発明では、かご置き棚の先端部に上方に向けて突出する当接用突出部が設けられ、かご置き棚に前記押し込み力が加えられて該棚がスライド移動しているときに、当接用突出部が作業台の側面に当接することによってスライド移動が停止して、かご置き棚が前記収容状態になる構成であるから、簡易な構成でもってかご置き棚のスライド移動を停止させることができる。
【００１８】
［４］の発明では、天板の上面におけるかご置き棚が突出する側であって且つ背面側のコーナー部又はその近傍領域に、スキャナー取付用開口部が設けられているので、この取付用開口部にスキャナーを取り付けることにより、客が商品入り買物かごをカートに載せた状態のままでレジカウンターに持ち込んだ場合（図５参照）、客がカートを使用せずに買物かごだけをレジカウンターに持ち込んだ場合（図７参照）のいずれの場合であっても、スキャナーの近接位置に買物かごを配置させた状態でレジ作業を行うことができ、店員がレジ作業をより一層スムーズに行うことができる利点がある。
【図面の簡単な説明】
【００１９】
【図１】本発明に係るレジカウンターの一実施形態を、かご置き棚が使用可能状態にある状態で示す平面図である。
【図２】図１のレジカウンターの正面図である。
【図３】図１のレジカウンターを天板を外した状態で示す一部の斜視図である。
【図４】かご置き棚がカートによって押し込まれている途中状態を示す正面図である。
【図５】カートでの押し込みにより、かご置き棚が収容状態になったレジカウンターを示す正面図である。
【図６】続いてカートを移動させてカートによる押し込み力を排除することによって、棚の自重によりかご置き棚が外方に向けてスライド移動している途中状態を示す正面図である。
【図７】使用可能状態のかご置き棚の上に、買物かごを載置した状態を示す正面図である。
【発明を実施するための形態】
【００２０】
本発明に係るレジカウンター１の一実施形態を図１〜３に示す。これら図１〜３において、２は、作業台であり、１０は、かご置き棚である。
【００２１】
前記作業台２は、側板からなる左側脚部４と、該左側脚部４と離間して配置された側板からなる右側脚部５と、前記左右一対の脚部の上端に載置されて固定された天板３と、を備える。
【００２２】
前記作業台２の上部に収容ボックス９が設けられている。前記天板３より下の位置に該天板３と平行に底板６が配置され、該底板６の長さ方向の一端が前記左側脚部４の内面に接合され、前記底板６の長さ方向の他端が前記右側脚部５の内面に接合されている（図３参照）。前記底板６の幅方向の前面側の縁部から上方に向けて正面板８が延設され、該正面板８の長さ方向の一端が前記左側脚部４の内面に接合され、前記正面板８の長さ方向の他端が前記右側脚部５の内面に接合されている（図３参照）。前記天板３の幅方向の背面側の縁部から下方に向けて両脚部４、５の下端まで背面板７が延設され、該背面板７の長さ方向の一端が前記左側脚部４の内面に接合され、前記背面板７の長さ方向の他端が前記右側脚部５の内面に接合されている（図３参照）。しかして、前記収容ボックス９は、左側脚部４の上部、右側脚部５の上部、背面板７の上部、底板６、正面板８、天板３により形成されている。
【００２３】
なお、正面板８が配置される正面側は、店員が立つ側であり、背面板７が配置される背面側は、客が立つ側である。
【００２４】
前記天板３の上面におけるかご置き棚１１が外方に突出する側であって且つ背面側のコーナー部に、スキャナー取付用開口部２１が形成されている（図１参照）。前記天板３におけるスキャナー取付用開口部２１の近傍に、スキャナー固定用枠体２０が取り付けられている。前記スキャナー取付用開口部２１内に、商品に付与されているバーコード等を読み取るためのスキャナー（図示しない）の底部が挿入されると共に、スキャナーが前記固定用枠体２０で保持されることによって、スキャナーが前記天板３に固定される。
【００２５】
前記作業台２の底部に床板３１が設けられている。即ち、前記床板３１の長さ方向の一端が前記左側脚部４の底部の内面に接合され、前記床板３１の長さ方向の他端が前記右側脚部５の底部の内面に接合されている（図２参照）。
【００２６】
前記作業台２には、前記底板６と前記床板３１の間の空間を左右に分ける中間板３２が立設されている。前記中間板３２の上端が前記底板６の底面に接合され、前記中間板３２の下端が前記床板３１の上面に接合されている（図２参照）。
【００２７】
前記作業台２には、前記底板６、前記床板３１、前記左側脚部４、前記中間板３２で取り囲まれた空間を上下に分ける２枚の水平板３３、３４が互いに離間して配置されている。上方側の第１水平板３３の長さ方向の一端が前記左側脚部４の内面に接合され、該第１水平板３３の長さ方向の他端が前記右側脚部５の内面に接合されている（図２参照）。また、前記第１水平板３３より下方位置に配置された第２水平板３４の長さ方向の一端が前記左側脚部４の内面に接合され、前記第２水平板３４の長さ方向の他端が前記右側脚部５の内面に接合されている（図２参照）。
【００２８】
前記右側脚部５の上部位置にスライド移動用開口部２２が形成されている。即ち、前記作業台２の収容ボックス９の壁を構成する右側脚部５の上部にスライド移動用開口部２２が形成されている（図３参照）。前記スライド移動用開口部２２は、後述するかご置き棚１０（かご置き部１１）のスライド移動を許容できる大きさ、形状に形成されている。
【００２９】
前記収容ボックス９内には支持用丸棒体１６、１７、１８が配置されている（図３参照）。即ち、前記背面板７と前記正面板８に、３本の支持用丸棒体１６、１７、１８が相互に略水平方向に離間した態様でそれぞれ掛け渡されている。前記支持用丸棒体１６、１７、１８は、いずれも、一端部が前記背面板７の内面に設けられた孔（非貫通の孔）に回動自在に取り付けられ、他端部が前記正面板８の内面に設けられた孔（非貫通の孔）に回動自在に取り付けられている。
【００３０】
前記スライド移動用開口部２２に最も近い位置に配置された第１支持用丸棒体１６の上端の位置は、前記スライド移動用開口部２２の下端の位置よりも高くなるように設定されている。また、前記スライド移動用開口部２２に２番目に近い位置に配置された第２支持用丸棒体１７の上端の高さは、前記第１支持用丸棒体１６の上端の高さよりも高くなるように設定されている。また、前記スライド移動用開口部２２に３番目に近い位置に配置された第３支持用丸棒体１８の上端の高さは、前記第２支持用丸棒体１７の上端の高さよりも高くなるように設定されている（図３参照）。
【００３１】
更に、前記作業台２に、前記天板３の長さ方向に沿って略水平方向にスライド移動可能な状態でかご置き棚１０が取り付けられている。
【００３２】
前記かご置き棚１０は、等間隔で平行に配列された４本の棒体３６と、これら棒体３６の長さ方向の一端側を連結した棒状の第１連結体３７と、前記４本の棒体３６の長さ方向の他端側を連結した棒状の第２連結体３８と、からなる（図３参照）。
【００３３】
前記かご置き棚１０は、前記作業台２のスライド移動用開口部２２に挿通されている（図３参照）。前記かご置き棚１０は、最も外方に引き出された状態である使用可能状態を平面視したときに天板３から外方に突出していて外観される部位であるかご置き部１１と、最も外方に引き出された状態である使用可能状態を平面視したときに天板３に隠れていて外観できない部位である棚延長部１４とからなる（図１〜３参照）。
【００３４】
前記かご置き棚１０の棚延長部１４は、図３に示すように、前記収容ボックス９内に配置されている。即ち、前記棚延長部１４は、前記収容ボックス９内において、断面形状が円形状の支持用丸棒体１６、１７、１８の上に載置されている（支持用丸棒体１６、１７、１８で支持されている）。上述したとおり、支持用丸棒体１６、１７、１８は、いずれも回動自在に取り付けられていると共に、第１支持用丸棒体１６の上端の位置、第２支持用丸棒体１７の上端の位置、第３支持用丸棒体１８の上端の位置は、この順に高くなるように構成されているので、これら支持用丸棒体１６、１７、１８に支持された前記かご置き棚１０は、棚の基端部１０ｂから棚の先端部１０ａに向けて上から下に傾斜する傾斜状態で作業台２にスライド移動可能に取り付けられている（図２、３参照）。従って、かご置き棚１０に対して外部から力が加えられていないときは、かご置き棚１０は、自重によって、作業台２の外方側に向けてスライド移動することになり、このような外方側へのスライド移動により、かご置き棚１０の一部（かご置き部１１）が天板３の長さ方向の一端縁３ａより外方側に突出した使用可能状態になっている（図２参照）。なお、前記かご置き棚の基端部１０ｂとは、棚の長さ方向の一端部であって、前記使用可能状態のときでも外観されない一端部のことであり、前記かご置き棚の先端部１０ａとは、棚の長さ方向の一端部であって、前記使用可能状態のときに外観される一端部のことである。
【００３５】
前記かご置き棚１０の先端部１０ａに上方に向けて突出する当接用突出部１２が設けられている（図２、３参照）。即ち、前記かご置き棚１０の第２連結体３８に上方に向けて突出する当接用突出部１２が接合されている。前記かご置き棚１０に押し込み力が加えられて該棚１０がスライド移動しているときに、前記当接用突出部１２が、天板３の側面３ａに当接することによって、所定位置でスライド移動が停止するものとなされている（図５参照）。このようにスライド移動が停止して前記かご置き棚１０の前記収容ボックス９内への収容が完了する。
【００３６】
また、前記かご置き棚１０の長さ方向の中間位置の上面に、前記支持用丸棒体１６、１７、１８と平行状に棒状の上方突出部１５が接合されている（図２、３参照）。収容状態の前記かご置き棚１０が作業台２の外方側に向けてスライド移動しているときに（図６参照）、前記上方突出部１５が前記右側脚部５の内面に当接することによって、所定位置でスライド移動が停止するものとなされている（図２、３参照）。このように外方側へのスライド移動が停止して前記かご置き棚１０は使用可能状態になる（かご置き部１１の上に買物かご６１を置くことが可能な状態になる）（図７参照）。
【００３７】
上述した本発明に係るレジカウンター１は、かご置き棚１０に対して外部から力が加えられていないときは、かご置き棚１０の一部（かご置き部１１）が、天板３の長さ方向の一端縁３ａより外方側に突出した使用可能状態になっている（図１、２参照）。
【００３８】
客が商品入り買物かご６１をカート６０に載せてレジカウンター１に来たときは、客が商品入り買物かご６１をカート６０に載せた状態のままで買物かご６１（或いはカート６０でもよい）をかご置き棚の先端部１０ａに押し当てて、そのままかご置き棚１０を作業台２の方に押し込んでいくと、かご置き棚１０がスライド移動するが（図４参照）、かご置き棚１０の当接用突出部１２が天板３の側面３ａに当接することでスライド移動が停止して、かご置き棚１０が収容ボックス９内に収容される（図５参照）。このようにかご置き棚１０が収容ボックス９内に収容されることにより、店員に近い位置（店員が取り出しやすい位置）に、カート６０に載せられた商品入り買物かご６１が存在するので、店員は、カート６０に載せられた状態の買物かご６１から商品を取り出してレジ作業を行うことができ、これにより、買物かご６１をカート６０から取り出して作業台２の上に載せる作業を行わなくて済み、その分レジでの作業時間を短縮できると共に、重い買物かご６１をカート６０から持ち上げるという負担の大きい作業からも解放される。
【００３９】
上記レジ作業が終了して、かご置き棚の先端部１０ａに対して押し当て状態になっていた買物かご６１を載せているカート６０を移動させると、前記かご置き棚１０に対する押し込み力（かご置き棚１０が傾斜に沿って自重で戻ろうとする移動力に対して、かご置き棚１０に押し当て状態で停止している買物かご６１から受ける反作用としての押し込み力）が排除されるので、収容状態のかご置き棚１０は、自重により、作業台２の外方側に向けてスライド移動した後（図６参照）、かご置き棚１０の上方突出部１５が作業台２の右側脚部５の内面に当接することでスライド移動が停止して、かご置き棚１０の一部（かご置き部１１）が天板３の長さ方向の一端縁３ａより外方側に突出した使用可能状態に戻る（復帰する）（図２参照）。
【００４０】
次の客が、商品入り買物かご６１をカート６０に載せてレジカウンター１に来たときは、上記と同様の手順、態様でレジ作業が行われる。一方、次の客が、カートを使用せずに商品入り買物かご６１だけをレジカウンター１に持ち込んだ場合には、客は、外方側に突出して使用可能状態になっているかご置き棚１０（かご置き部１１）の上にそのまま買物かご６１を載置する（図７参照）。この場合にも、店員に近い位置（店員が取り出しやすい位置）に商品入り買物かご６１が存在するので、店員は、この買物かご６１から商品を容易に取り出すことができてスムーズにレジ作業を行うことができる。
【００４１】
更に、本発明のレジカウンター１では、かご置き棚１０は、前記押し込み力が排除されると、自重によりスライド移動できて、かご置き棚１０を使用可能状態に移行させるのに何らの操作も要しないので、レジでの作業時間をより短縮できると共に、レジでの作業工数をより低減できる。
【００４２】
本発明において、かご置き棚１０を、棚の基端部１０ｂから棚の先端部１０ａに向けて上から下に傾斜する傾斜状態で作業台２にスライド移動可能に取り付けるための構造は、支持用丸棒体を利用した上記例示の構造（図３参照）に特に限定されるものではなく、例えば、背面板７の内面及び正面板８の内面のそれぞれに固定された傾斜状態のサイドレールによって、かご置き棚１０の幅方向の両端部がスライド移動可能に支持されている構造を採用してもよい。
【００４３】
また、上記実施形態では、前記かご置き棚１０としては、棒体３６、棒状の第１連結体３７および棒状の第２連結体３８が組み付けられて構成されたものが用いられているが、特にこのような構成に限定されるものではなく、例えば、１枚の平板で構成されていてもよい。
【産業上の利用可能性】
【００４４】
本発明のレジカウンターは、スーパーマーケット等において購入商品の料金精算の際に使用されるが、特にこのような用途に限定されるものではない。
【符号の説明】
【００４５】
１…レジカウンター
２…作業台
３…天板
３ａ…側面（一端縁）
４…脚部
５…脚部
１０…かご置き棚
１０ａ…先端部
１０ｂ…基端部
１１…かご置き部
１２…当接用突出部
１４…棚延長部
２２…スライド移動用開口部
【図１】
0005907537.tif 000002
【図２】
0005907537.tif 000003
【図３】
0005907537.tif 000004
【図４】
0005907537.tif 000005
【図５】
0005907537.tif 000006
【図６】
0005907537.tif 000007
【図７】
0005907537.tif 000008